(57)【要約】【課題】テレビジョン受像機において、映像の画質又は音声の音量の調整を素速くし調整の操作性を良くする。【解決手段】テレビジョン受像機は、本体部とリモコン送信機３を備えている。リモコン送信機３には、画面上にメニュー画面を表示するメニューボタン３４と、メニュー画面を切り替えるメニュー切替ボタン３５と、映像の画質や音声の音量等の調整項目を確定する調整項目確定ボタン３６と、調整項目の設定値を変更する設定値変更ボタン３７と、メニュー画面の表示を終了するメニュー終了ボタン３８と、調整項目の設定値をポイント値として記憶するポイント記憶ボタン３９と、ポイント動作モードに切り替える動作モード切替ボタン４０が配されている。映像の画質や音声の音量の設定値がポイント値として記憶され、調整時に、設定値をポイント値だけに推移させて調整することができるので、調整を素速く行なうことができ、調整の操作性が良い。【選択図】図３
2009272900.tif 000002
【特許請求の範囲】
【請求項１】
テレビジョン放送信号を受信する受信手段と、
前記受信手段によって受信されたテレビジョン放送信号を復調する復調手段と、
前記復調手段によって復調された信号を処理して映像信号及び音声信号を抽出する映像音声信号処理手段と、
前記映像信号を用いて画面上に画像を表示する映像出力手段と、
前記音声信号を用いてスピーカから音声を出力する音声出力手段と、
画面上に表示される映像の画質又はスピーカから出力される音声の音量を調整するために、ユーザによって操作される複数の操作ボタンが設けられた操作部と、
前記操作部の所定の第１操作ボタンの操作に応じて、画面上にメニュー画面を表示し、前記第１操作ボタンとは異なる第２操作ボタンの操作に応じて前記メニュー画面を切り替え、前記第２操作ボタンとは異なる第３操作ボタンの操作に応じて、ユーザにより選択された調整項目を確定すると共に、画面上に選択された調整項目の現在の設定値を表示し、前記第３操作ボタンとは異なる第４操作ボタンの操作に応じて、前記調整項目の設定値を変更し、その変更した値を表示し、前記第４操作ボタンとは異なる第５操作ボタンの操作に応じて、前記メニュー画面の表示を終了するオン・スクリーン・ディスプレイ手段と、
前記第４操作ボタンの操作に応じて変更された設定値に基づいて、画面上に表示される映像の画質又はスピーカから出力される音声の音量を調整する画質・音量調整手段と、
前記第５操作ボタンの操作に応じて、前記メニュー画面の表示を終了するときに画面上に表示されていた調整項目の設定値を記憶する記憶手段と、
を備えたテレビジョン受像機において、
前記操作部は、ポイント記憶ボタン及び動作モード切替ボタンをさらに備え、
前記記憶手段は、ユーザが前記第４操作ボタンの操作に応じて、前記調整項目の設定値を変更する際に、前記ポイント記憶ボタンを操作すると、前記ポイント記憶ボタンが操作されたときに画面上に表示されていた調整項目の設定値をポイント値として記憶し、
前記動作モード切替ボタンが操作されて、画質・音量調整モードがポイント動作モードに切り替えられた状態で、前記第４操作ボタンが操作されると、前記オン・スクリーン・ディスプレイ手段は、調整項目の設定値を、前記記憶手段に記憶されているポイント値が１つの場合はそのポイント値に、または、前記記憶手段に記憶されているポイント値が２以上の場合はそれらのポイント値の間でサイクリックに切り替えて表示し、前記画質・音量調整手段は、画面上に表示されている調整項目の設定値に基づいて、画面上に表示される映像の画質又はスピーカから出力される音声の音量を調整することを特徴とするテレビジョン受像機。
【請求項２】
前記動作モード切替ボタンが操作されて、画質・音量調整モードがポイント動作モードに切り替えられた状態で、前記ポイント記憶ボタンが操作されると、前記記憶手段は、前記ポイント記憶ボタンが操作されたときに画面上に表示されている調整項目の設定値を、記憶したポイント値の中から消去することを特徴とする請求項１に記載のテレビジョン受像機。
【発明の詳細な説明】
【技術分野】
【０００１】
本発明は、画質又は音量の調整の操作性が良いテレビジョン受像機に関する。
【背景技術】
【０００２】
従来から、テレビジョン受像機において、映像の画質や音声の音量等の調整は、映像の画質や音声の音量等の設定値を増減させる操作キーを複数回押したり、操作キーを押し続けることにより行なっている。しかしながら、例えば、音量レベルが２０であるときに音量を下げようとすると、音量レベルは１９、１８、１７・・・というように１段階ずつ小さくなるので、音量が希望値に達するまでに時間を要する。また、調整した音量が適しているか否かをその都度判断し、適していない場合には再度調整を行なわなければならず、音量調整に手間がかかる。そこで、音量等を調整する操作キーが連打された場合には、音量等の調整速度を速くする数量調整装置が提案されている（例えば、特許文献１参照）。
【０００３】
しかしながら、特許文献１に示されるような数量調整装置においては、調整値が希望値を行き過ぎた場合、再度調整が必要になる等、かえって調整に手間がかかることもありうる。
【特許文献１】特開２００３−４６３５１号公報
【発明の開示】
【発明が解決しようとする課題】
【０００４】
本発明は、上記問題を解消するものであり、映像の画質や音声の音量の調整等を素速く行なうことができ、調整の操作性に優れたテレビジョン受像機を提供することを目的とする。
【課題を解決するための手段】
【０００５】
上記目的を達成するために請求項１の発明は、テレビジョン放送信号を受信する受信手段と、前記受信手段によって受信されたテレビジョン放送信号を復調する復調手段と、前記復調手段によって復調された信号を処理して映像信号及び音声信号を抽出する映像音声信号処理手段と、前記映像信号を用いて画面上に画像を表示する映像出力手段と、前記音声信号を用いてスピーカから音声を出力する音声出力手段と、画面上に表示される映像の画質又はスピーカから出力される音声の音量を調整するために、ユーザによって操作される複数の操作ボタンが設けられた操作部と、前記操作部の所定の第１操作ボタンの操作に応じて、画面上にメニュー画面を表示し、前記第１操作ボタンとは異なる第２操作ボタンの操作に応じて前記メニュー画面を切り替え、前記第２操作ボタンとは異なる第３操作ボタンの操作に応じて、ユーザにより選択された調整項目を確定すると共に、画面上に選択された調整項目の現在の設定値を表示し、前記第３操作ボタンとは異なる第４操作ボタンの操作に応じて、前記調整項目の設定値を変更し、その変更した値を表示し、前記第４操作ボタンとは異なる第５操作ボタンの操作に応じて、前記メニュー画面の表示を終了するオン・スクリーン・ディスプレイ手段と、前記第４操作ボタンの操作に応じて変更された設定値に基づいて、画面上に表示される映像の画質又はスピーカから出力される音声の音量を調整する画質・音量調整手段と、前記第５操作ボタンの操作に応じて、前記メニュー画面の表示を終了するときに画面上に表示されていた調整項目の設定値を記憶する記憶手段と、を備えたテレビジョン受像機において、前記操作部は、ポイント記憶ボタン及び動作モード切替ボタンをさらに備え、前記記憶手段は、ユーザが前記第４操作ボタンの操作に応じて、前記調整項目の設定値を変更する際に、前記ポイント記憶ボタンを操作すると、前記ポイント記憶ボタンが操作されたときに画面上に表示されていた調整項目の設定値をポイント値として記憶し、前記動作モード切替ボタンが操作されて、画質・音量調整モードがポイント動作モードに切り替えられた状態で、前記第４操作ボタンが操作されると、前記オン・スクリーン・ディスプレイ手段は、調整項目の設定値を、前記記憶手段に記憶されているポイント値が１つの場合はそのポイント値に、または、前記記憶手段に記憶されているポイント値が２以上の場合はそれらのポイント値の間でサイクリックに切り替えて表示し、前記画質・音量調整手段は、画面上に表示されている調整項目の設定値に基づいて、画面上に表示される映像の画質又はスピーカから出力される音声の音量を調整するものである。
【０００６】
請求項２の発明は、請求項１に記載のテレビジョン受像機において、前記動作モード切替ボタンが操作されて、画質・音量調整モードがポイント動作モードに切り替えられた状態で、前記ポイント記憶ボタンが操作されると、前記記憶手段は、前記ポイント記憶ボタンが操作されたときに画面上に表示されている調整項目の設定値を、記憶したポイント値の中から消去するものである。
【発明の効果】
【０００７】
請求項１の発明によれば、映像の画質又は音声の音量の設定値がポイント値として記憶され、映像の画質や音声の音量の調整時に、設定値をポイント値だけに推移させて調整することができるので、調整を素速く行なうことができ、従来のものに比べて調整の操作性が良くなる。
【０００８】
請求項２の発明によれば、映像の画質又は音声の音量のポイント値の内で、不要又は再設定が必要になったポイント値を削除することができるので、映像の画質又は音声の音量の調整時に、必要なポイント値だけに設定値が推移し、調整を素速く行なうことができる。
【発明を実施するための最良の形態】
【０００９】
本発明の実施形態に係るテレビジョン受像機について図面を参照して説明する。図１はテレビジョン受像機の外観を、図２は、テレビジョン受像機の構成を、図３はリモコン送信機の構成を示している。テレビジョン受像機１は、本体部２とリモコン送信機（操作部）３を備えている。本体部２は、テレビジョン放送信号を受信するチューナ（受信手段）４と、チューナ４によって受信された放送信号を復調するデコーダ（復調手段）５と、デコーダ５によって復調された放送信号を映像信号及び音声信号に分離する映像音声信号処理部（映像音声信号処理手段）６と、映像音声信号処理部６によって分離された映像信号を用いて画面７上に画像を表示する映像出力部（映像出力手段）８と、映像音声信号処理部６によって分離された音声信号を用いてスピーカ９から音声を出力する音声出力部（音声出力手段）１０と、画面７上に表示される映像の画質、及びスピーカ９から出力される音声の音量を調整する画質・音量調整部（画質・音量調整手段）１１と、上記各部を制御するＣＰＵ等の制御部１２と、画質や音量の設定値を記憶するメモリ１３と、リモコン送信機３から送信された赤外線信号を受信する赤外線受信部１４と、画面７上にメニュー画面等のオン・スクリーン・ディスプレイを表示するためのオン・スクリーン・ディスプレイ部（以下、ＯＳＤ部）（オン・スクリーン・ディスプレイ手段）１５を有している。
【００１０】
リモコン送信機３には、テレビジョン受像機１の電源のオン・オフを行なう電源ボタン３１と、チャンネルを選択するチャンネルボタン３２と、音量を増減する音量ボタン３３が配されている。音量ボタン３３は、ユーザに押されると常に音量を増減する。リモコン送信機３には、また、メニューボタン（第１操作ボタン）３４、メニュー切替ボタン（第２操作ボタン）３５、調整項目確定ボタン（第３操作ボタン）３６、設定値変更ボタン（第４操作ボタン）３７、メニュー終了ボタン（第５操作ボタン）３８、ポイント記憶ボタン３９、及び動作モード切替ボタン４０が配されている。設定値変更ボタン３７は増ボタン３７ａと減ボタン３７ｂより構成されている。
【００１１】
メニューボタン３４がユーザに押されると、ＯＳＤ部１５は画面７に画質や音量の調整画面の選択を行なうメニュー画面を表示する。メニュー切替ボタン３５が押されると、ＯＳＤ部１５は画面７に表示されている色相調整や音量調整等の複数の調整項目の選択を順に切り替える。調整項目確定ボタン３６が押されると、制御部１２は調整項目を確定し、ＯＳＤ部１５は調整項目の現在の設定値を表示する。設定値変更ボタン３７を構成する増ボタン３７ａ又は減ボタン３７ｂが押されると、画質・音量調整部１１は、設定値に応じたレベルで映像及び音声を出力するように映像出力部８又は音声出力部１０を制御する。メニュー終了ボタン３８が押されると、ＯＳＤ部１５はメニュー画面の表示を終了する。調整項目確定ボタン３６が押され、また、設定値変更ボタン３７によって設定値が増減され画面７に設定値が表示されているときにポイント記憶ボタン３９が押されると、制御部１２は、そのときに画面に表示されていた調整項目の設定値をポイント値としてメモリ１３に記憶する。
【００１２】
動作モード切替ボタン４０は、画質や音量の調整を行なう画質・音量調整モードを通常モードとポイント動作モードに切り替える。動作モード切替ボタン４０が押されていないときは、通常モードになっている。通常モードのときに、増ボタン３７ａ又は減ボタン３７ｂが押されると、調整項目の設定値は段階的に定められた複数の調整レベルを一段階ずつ連続して推移する。一方、ポイント動作モードのときには、増ボタン３７ａ又は減ボタン３７ｂが押されると、調整項目の設定値は、メモリ１３に記憶されているポイント値が１つの場合はそのポイント値に、または、メモリ１３に記憶されているポイント値が２以上の場合はそれらのポイント値の間をサイクリックに推移する。
【００１３】
次に、テレビジョン受像機１の音量の調整方法について図４及び図５を参照して説明する。映像の画質の調整方法については、音量の調整方法と同様であるので説明を省略する。最初に、音量の設定値をポイント値として記憶する動作について説明する。図４は、音量の設定値をポイント値として記憶する動作のフローを示し、図５は、その動作フローのときの画面７の表示内容を示す。
【００１４】
まず、ユーザによってメニューボタン３４が押され、メニュー画面が表示される（ステップＳ１、Ｓ１と略記、以下同様）。メニュー画面には、色相を調整する色相調整や、音量を調整する音量調整等の複数の選択される調整項目が表示されており、そのときに選択されている調整項目は例えばハッチングされて識別されている（図５（ａ）参照）。続いてメニュー切替ボタン３５が押されて、画面７に表示されている複数の調整項目の選択が順に切り替えられ音量調整が選択される（Ｓ２）（図５（ｂ）参照）。続いて、調整項目確定ボタン３６が押されて、音量調整に確定される。画面には、そのときの音量の設定値が表示される（Ｓ３）（図５（ｃ）参照）。
【００１５】
続いて設定値変更ボタン３７の増ボタン３７ａ、又は減ボタン３７ｂが押されて、音量が記憶される設定値に調整される（Ｓ４）。画面７に表示されている設定値が増減し、設定値に応じた音量で出力される。調整項目が音量の場合には、音量ボタン３３によっても設定値を増減することができる。続いて、ポイント記憶ボタン３９が押されると、そのときに画面に表示されていた設定値がポイント値としてメモリ１３に記憶される（Ｓ５）。ポイント値の記憶が続行される場合はＳ４に戻り、Ｓ４、Ｓ５を繰り返す（Ｓ６）。複数の設定値をポイント値として記憶することができる。設定値の記憶が終了すると（Ｓ６）、メニュー終了ボタン３８が押されて（Ｓ７）、メニュー画面の表示が終了される。
【００１６】
次に、音量を調整する動作について図６及び図７を参照して説明する。図６は、音量を調整する動作のフローを示し、図７は、その動作フローのときの画面７への表示内容を示す。まず、上述した音量の設定値をポイント値として記憶する動作フローのＳ１からＳ３と同様にして、調整項目が音量調整に確定される（Ｓ２１乃至Ｓ２３）。続いて、ポイント動作モードによって音量が調整される場合には（Ｓ２４）、動作モード切替ボタン４０が押されてポイント動作モードに切り替えられ（Ｓ２５）、設定値変更ボタン３７の増ボタン３７ａ又は減ボタン３７ｂによって、音量が調整される（Ｓ２６）。調整項目が音量の場合には、音量ボタン３３によっても音量を調整することができる。調整において、メモリ１３に記憶されているポイント値が１つの場合はそのポイント値に、又は、メモリ１３に記憶されているポイント値が２以上の場合はそれらのポイント値の間でサイクリックに推移する。例えば、ポイント値として音量レベル５、２０、４２の３個の設定値が記憶されている場合を説明する。音量レベルが１８ときにポイント動作モードに切り替えられると、画面７に音量レベルと共にポイント動作モードを示す旨が表示され（図７（ａ）参照）、減ボタン３７ｂが押されると音量レベル５になり（図７（ｂ）参照）、続いて増ボタン３７ａが押されると音量レベル２０になり（図７（ｃ）参照）、続いて増ボタン３７ａが押されると音量レベル４２になる（図７（ｄ）参照）。
【００１７】
通常モードによって音量が調整される場合には、Ｓ２３の状態のままで、設定値変更ボタン３７によって音量が調整される（Ｓ２６）。調整が終了すると、メニュー終了ボタン３８が押されて、メニュー画面の表示が終了される。
【００１８】
上述したように、ポイント動作モードによって調整を行なえば、記憶されているポイント値だけに推移するので、調整を素速く行なうことができ、調整の操作性が良い。また、通常時の音量や、周囲への騒音を注意して音量を小さくする場合の音量等のようにそれぞれの状況に応じた音量は、その状況の都度に変わるのでなく、状況毎に応じた同程度の大きさであるのが一般的である。したがって、通常モードならば状況が変わる毎に音量を徐々に増減し、状況に適した音量か否かを判断しなければならないが、ポイント動作モードなら使用状況に応じたポイント値を記憶しておき、ポイント値を選択して推移するだけでよいので、状況に適した音量か否かを判断する必要がなく、音量の調整が容易である。色相調整や彩度調整等の画質の調整も上述した音量調整と同様に行なうので、音量調整と同様の効果を得ることができる。
【００１９】
次に、記憶しているポイント値を削除する動作について図８を参照して説明する。まず、上述した音量の設定値をポイント値として記憶する動作フローのＳ１からＳ３と同様にして、調整項目が音量調整に確定される（Ｓ３１乃至Ｓ３３）。続いて、動作モード切替ボタン４０が押されてポイント動作モードに切り替えられ（Ｓ３４）、設定値変更ボタン３７が押されて削除されるポイント値が画面上に表示されるまで、記憶されているポイント値にサイクリックに移行する（Ｓ３５）。調整項目が音量の場合には、音量ボタン３３によってもポイント値を移行することができる。
【００２０】
続いて、ポイント記憶ボタン３９が押されると画面に表示されていたポイント値がメモリ１３から削除される（Ｓ３６）。ポイント値の削除が続行される場合は、Ｓ３５に戻る（Ｓ３７）。終了する場合には、メニュー終了ボタン３８が押されて、メニュー画面の表示が終了する（Ｓ３８）。
【００２１】
このことにより、不要又は再設定が必要になったポイント値を削除し、ポイント動作モード時に必要なポイント値だけに設定値が推移するので、調整を素速く行なうことができる。色相調整や彩度調整等の画質の調整も上述した音量調整と同様に行なうので、音量調整と同様の効果を得ることができる。
【００２２】
なお、本発明は、上記各種実施形態の構成に限られず、発明の趣旨を変更しない範囲で種々の変形が可能である。例えば、リモコン送信機３と同様の操作部を本体部２に設けてもよい。リモコン送信機３を紛失した場合にも操作を行なうことができ利便性が良くなる。また、設定値を記憶する動作フロー等の上述した各動作フローにおいて、メニュー終了ボタン３８が押されなくても、所定の時間、メニュー切替ボタン３５等のボタンが押されない場合に自動的にメニュー画面の表示を終了するようにしてもよい。終了操作が容易になる。また、音量のポイント値を記憶する場合には、メニューボタン３４等が押されなくても音量ボタン３３によって音量が調整された後にポイント記憶ボタン３９が押されることによってポイント値が記憶されるようにしてもよい。ポイント値の記憶の操作性が向上する。また、ポイント動作モードで音量を調整する場合には、メニューボタン３４等が押されなくても動作モード切替ボタン４０が押された後に音量ボタン３３が押されることによって、設定値がポイント値を推移するようにしてもよい。音量調整の操作性が向上する。また、メニューボタン３４等の操作ボタンは、それぞれを個別に設けずに、ファンクションボタン等を設け、ファンクションボタン等の操作によって１つの操作ボタンが複数の動作を行なうようにしてもよい。リモコン送信機３を小型化し、低コストにすることができる。
【図面の簡単な説明】
【００２３】
【図１】本発明の実施形態に係るテレビジョン受像機の外観図。
【図２】同テレビジョン受像機の構成図。
【図３】同テレビジョン受像機におけるリモコン送信機の構成図。
【図４】同テレビジョン受像機における音量の設定値をポイント値として記憶する動作のフロー図。
【図５】（ａ）乃至（ｃ）は、同テレビジョン受像機における音量の設定値をポイント値として記憶する動作フロー時の画面の表示内容を示す図。
【図６】同テレビジョン受像機における音量を調整する動作のフロー図。
【図７】（ａ）乃至（ｄ）は、同テレビジョン受像機における音量を調整する動作フロー時の画面の表示内容を示す図。
【図８】同テレビジョン受像機における記憶しているポイント値を削除する動作のフロー図。
【符号の説明】
【００２４】
１  テレビジョン受像機
３  リモコン送信機（操作部）
３４  メニューボタン（第１操作ボタン）
３５  メニュー切替ボタン（第２操作ボタン）
３６  調整項目確定ボタン（第３操作ボタン）
３７  設定値変更ボタン（第４操作ボタン）
３８  メニュー終了ボタン（第５操作ボタン）
３９  ポイント記憶ボタン
４  チューナ（受信手段）
４０  動作モード切替ボタン
５  デコーダ（復調手段）
６  映像音声信号処理部（映像音声信号処理手段）
７  画面
８  映像出力部（映像出力手段）
９  スピーカ
１０  音声出力部（音声出力手段）
１１  画質・音量調整部（画質・音量調整手段）
１３  メモリ（記憶手段）
１５  オン・スクリーン・ディスプレイ部（オン・スクリーン・ディスプレイ手段）
【図１】
2009272900.tif 000003
【図２】
2009272900.tif 000004
【図３】
2009272900.tif 000005
【図４】
2009272900.tif 000006
【図５】
2009272900.tif 000007
【図６】
2009272900.tif 000008
【図７】
2009272900.tif 000009
【図８】
2009272900.tif 000010